(57)【特許請求の範囲】
【請求項１】
前身頃と後身頃とを備え、前記前身頃の中央下端部と前記後身頃の中央下端部とがクロッチ部にそれぞれ結合されてなる下衣であって、
前記前身頃は、着用者の腹部および下腹部を覆う肌側部と、前記肌側部の外面側に配置されて前記着用者の前記腹部および前記下腹部を覆う表側部とを有する二重構造をなしており、
前記肌側部は、前記腹部および前記下腹部を覆うと共に前記クロッチ部に結合された肌側本体を含み、
前記表側部は、前記表側部の上部の領域に配置されて少なくとも前記腹部を覆う表側本体と、前記表側本体とは別の部材からなり、前記表側本体の下縁部に結合され、前記下腹部を覆うと共に前記クロッチ部に結合された前裾部とを含み、
前記前裾部は、前記表側本体の前記下縁部に結合された上縁部と前記表側本体の前記下縁部とが結合前は異なる形状を有することにより、平置きされた前記下衣の載置面に対して突出すると共に、前記前裾部の脇側下端と前記クロッチ部に対する前記前裾部の結合部位の端点との距離に対し、前記脇側下端から前記端点までの前記前裾部の生地の長さが余るようにして取り付けられている、下衣。
【請求項２】
前記肌側本体は、前記肌側本体の左右端縁と前記クロッチ部とを接続する第１下端縁を含み、
前記前裾部は、前記肌側本体の前記第１下端縁を覆っており、さらに前記着用者の大腿部の上端部を覆う位置にまで延在する、請求項１に記載の下衣。
【請求項３】
前記前裾部は、前記前裾部の左右端縁と前記クロッチ部とを接続する第２下端縁を含み、
前記第２下端縁と前記クロッチ部の側端縁とによって足刳り部の前部が形成されている、請求項１または２に記載の下衣。
【請求項４】
前記表側本体は、上縁部および左右端縁の位置を除いて、前記肌側本体からは遊離した状態で設けられている、請求項１〜３のいずれか一項に記載の下衣。
【請求項５】
前記前裾部は、前記クロッチ部に結合された位置を除いて、前記肌側本体からは遊離した状態で設けられている、請求項１〜４のいずれか一項に記載の下衣。
【請求項６】
前記前裾部はレース生地からなる、請求項１〜５のいずれか一項に記載の下衣。
【発明の詳細な説明】
【技術分野】
【０００１】
本発明は、たとえばショーツ等の下衣に関する。
【背景技術】
【０００２】
特許文献１に記載されるように、前身頃と後ろ身頃とがヒップの両脇部位で縫合され、後ろ足ぐり部の縁が、ヘム仕様、切りっぱなし又は縁かがりで構成されたショーツ等の衣料が知られている。この衣料では、前足ぐり部に、大腿部の前面側を覆う大腿部前面覆い部分が縫い付けられている。大腿部前面覆い部分は、前身頃に対して前方へ突出する立体形状をなしている。
【先行技術文献】
【特許文献】
【０００３】
【特許文献１】国際公開第２０１２／０２３２０８号
【発明の概要】
【発明が解決しようとする課題】
【０００４】
上記した従来の衣料では、着用者がタイトなアウターを着用したときに、後ろ足ぐり部の縁が外観にひびきにくいようになっている。また大腿部前面覆い部分が前身頃に対して前方へ突出するので、着用者は、足を動かしやすい。しかしながら、上記した従来の衣料では、前身頃の構造については検討されておらず、着用者の腹部または下腹部をどのようにして押さえるかという点は特に考慮されていない。
【０００５】
本発明は、足の動かしやすさを確保しつつも、腹部および下腹部を部位に応じた適切な強度で押さえることができる下衣を提供することを目的とする。
【課題を解決するための手段】
【０００６】
本発明の一態様は、前身頃と後身頃とを備え、前身頃の中央下端部と後身頃の中央下端部とがクロッチ部にそれぞれ結合されてなる下衣であって、前身頃は、着用者の腹部および下腹部を覆う肌側部と、肌側部の外面側に配置されて着用者の腹部および下腹部を覆う表側部とを有する二重構造をなしており、肌側部は、腹部および下腹部を覆うと共にクロッチ部に結合された肌側本体を含み、表側部は、表側部の上部の領域に配置されて少なくとも腹部を覆う表側本体と、表側本体とは別の部材からなり、表側本体の下縁部に結合され、下腹部を覆うと共にクロッチ部に結合された前裾部とを含み、前裾部は、表側本体の下縁部に結合された上縁部と表側本体の下縁部とが結合前は異なる形状を有することにより、平置きされた下衣の載置面に対して突出すると共に、前裾部の脇側下端とクロッチ部に対する前裾部の結合部位の端点との距離に対し、脇側下端から端点までの前裾部の生地の長さが余るようにして取り付けられている。
【０００７】
この下衣によれば、肌側本体が腹部を覆いつつクロッチ部まで延びているが、表側本体は、腹部を覆うがクロッチ部までは延びていない。表側においては、表側本体とクロッチ部との間に前裾部が設けられている。肌側本体と表側本体とが重なっている、腹部を覆う領域では、これらの2枚の生地によって所定の押さえ力が発揮される。よって、着用者の腹部に対しては、所定の押さえ力を確保できる。一方、クロッチ部に結合されている、下腹部を覆う領域では、肌側本体と前裾部とが重なっている。脇側下端から端点までの前裾部の生地の長さが、脇側下端から端点までの距離に対して余っているため、下腹部を覆う領域では、腹部を覆う上記領域における押さえ力よりも弱い押さえ力が生み出される。したがって、この下衣によれば、足の動かしやすさが確保され、しかも腹部および下腹部を部位に応じた適切な強度で押さえることができる。
【０００８】
肌側本体は、肌側本体の左右端縁とクロッチ部とを接続する第１下端縁を含み、前裾部は、肌側本体の第１下端縁を覆っており、さらに着用者の大腿部の上端部を覆う位置にまで延在してもよい。この場合、肌側本体の第１下端縁を越えて下まで延びる前裾部が、大腿部の上端部を覆う。大腿部の上端部を覆う領域では、左右方向の寸法に余裕のある前裾部のみが大腿部の上端部を蔽っているので、上述した２つの領域に比して、さらに押さえ力が弱くなっている。よって、裾まわりにおいて程よいフィット感を得られる。
【０００９】
前裾部は、前裾部の左右端縁とクロッチ部とを接続する第２下端縁を含み、第２下端縁とクロッチ部の側端縁とによって足刳り部の前部が形成されていてもよい。前裾部の第２下端縁とクロッチ部の側端縁とによって足刳り部が形成されているので、着用者は足を動かしやすい。また、前裾部が足へ巻き込まれることも防止される。
【００１０】
表側本体は、上縁部および左右端縁の位置を除いて、肌側本体からは遊離した状態で設けられていてもよい。この場合、肌側本体は表側本体に対して自由に動けるので、肌側本体が腹部の動きに追従しやすい。二重構造によって所定の押さえ力を実現しつつも、着用者の動きを妨げないような構造が提供される。
【００１１】
前裾部は、クロッチ部に結合された位置を除いて、肌側本体からは遊離した状態で設けられていてもよい。この場合、肌側本体は前裾部に対して自由に動けるので、肌側本体が下腹部の動きに追従しやすい。たとえば着用者がパンツ等の衣類を着用している場合には、クロッチ部に近い部位、すなわち下腹部ほど、衣類の影響（たとえば摩擦等による動きの影響）を受けやすい。しかしこの構造によれば、肌側本体は前裾部に対して自由に動けるので、肌側本体が下腹部の動きに追従しやすい。
【００１２】
前裾部はレース生地からなってもよい。この場合、表側本体とクロッチ部との間にレース生地からなる前裾部が設けられるので、表側において、部位に応じた所望の押さえ力を実現しつつ、美観性に優れる。たとえば、レース生地によってアクセントを付けたり、所望の装飾を施したりすることができる。
【発明の効果】
【００１３】
本発明によれば、足の動かしやすさが確保され、しかも腹部および下腹部を部位に応じた適切な強度で押さえることができる。
【図面の簡単な説明】
【００１４】
【図１】本開示の第１実施形態に係る下衣を示す正面図である。
【図２】図１に示した下衣の背面図である。
【図３】図１に示した下衣を裏返して示す正面図である。
【図４】図１のＩＶ−ＩＶ線に沿った断面図である。
【図５】図１のＶ−Ｖ線に沿った断面図である。
【図６】図１を一部拡大して示す図であり、前裾部の寸法を説明するための図である。
【図７】下衣の着用状態を斜め前方から見て示す図である。
【図８】下衣の着用状態を側方から見て示す図である。
【発明を実施するための形態】
【００１５】
以下、本発明の実施形態について、図面を参照しながら説明する。なお、図面の説明において同一要素には同一符号を付し、重複する説明は省略する。
【００１６】
まず図１および図２を参照して、本実施形態のショーツ１の基本構成について説明する。下衣の一実施形態であるショーツ１は、たとえば女性用の下半身衣類（下着）である。ショーツ１は、たとえば伸縮性を有する生地からなり、着用者に望ましいフィット感を与え得る。ショーツ１は、複数のパーツを組み合わせた構成を有しており、機能面においてもデザイン面においても優れている。ショーツ１は、着用者の下半身の前部（主として腹部および下腹部）を覆う前身頃２と、着用者の下半身の後部および側部（主として臀部）を覆う後身頃４とを備える。
【００１７】
前身頃２および後身頃４は、それぞれ、伸縮性を有する生地からなる。前身頃２および後身頃４は、それぞれ、少なくとも左右方向に伸縮性を有する。前身頃２および後身頃４は、上下方向に伸縮性を有してもよい。前身頃２および後身頃４において、左右方向の伸縮性は、上下方向の伸縮性より大きくてよい。本明細書において伸縮性とは、生地の伸び易さを意味する。伸縮性は、所定の力で生地をある方向に引っ張った際に、その生地がどの程度伸びるか（生地のサイズがどの程度変化するか）に基づいて定義され得る。
【００１８】
前身頃２および後身頃４は、これらの生地の左右端縁３，３で互いに結合されており、筒状をなしている。前身頃２および後身頃４は、たとえば左右端縁３，３で縫合されている。左右端縁３，３は、着用者のヒップのやや前側に位置してもよい。すなわち、ショーツ１を平置きした場合に、左右端縁３，３が前側に表れてもよい。前身頃２の左右方向の長さは、後身頃４の左右方向の長さよりも短い。ショーツ１を平置きした場合に、左右端縁３，３が後側に表れてもよい。その場合、前身頃２の左右方向の長さは、後身頃４の左右方向の長さよりも長い。ショーツ１を平置きした場合に、左右端縁３，３が前後の境界である折り目部に位置してもよい。その場合、前身頃２の左右方向の長さと、後身頃４の左右方向の長さが等しい。
【００１９】
前身頃２の上端部２ａと後身頃４の上端部４ａとは、環状をなしている。前身頃２の上端部２ａの構造については後述する。後身頃４の上端部４ａのみに、着用者の腰部に対してショーツ１をフィットさせるための帯状の弾性部材７が取り付けられている。
【００２０】
ショーツ１は、前身頃２の中央下端部２ｂと後身頃４の中央下端部４ｂとが、クロッチ部６にそれぞれ結合されてなる。より具体的には、前身頃２の中央下端部２ｂおよび後身頃４の中央下端部４ｂが、たとえば、クロッチ部６の前端縁６ａおよび後端縁６ｂにそれぞれ縫合されている。クロッチ部６は、たとえば二重構造を有する伸縮性生地からなる。これらの前身頃２、後身頃４、およびクロッチ部６によって、着用者の下半身を覆うショーツ１が構成されており、着用者の足（詳細には大腿部）が通される左右一対の環状の足刳り部１３，１３が形成されている。前身頃２、後身頃４、およびクロッチ部６には、それぞれ伸縮性生地が用いられる。たとえば、本実施形態のショーツ１に用いられる伸縮性生地としては、緯編地や経編地が挙げられ、たとえばスムース、フライス、天竺、トリコット、ラッセルなどが挙げられる。これらの生地は、コットンからなってもよく、化学繊維からなってもよく、これらが混合された生地であってもよい。なお、前身頃２、後身頃４、およびクロッチ部６の少なくともいずれかが、伸縮性を有しない又は伸縮性をほとんど有しない生地（たとえば織物等）からなってもよい。
【００２１】
前身頃２は、二重構造を有している。前身頃２は、着用者の腹部および下腹部を覆う肌側部８と、肌側部８の外面側に配置されて着用者の腹部および下腹部を覆う表側部１０とを有する。前身頃２は、肌側部８と表側部１０とを有することで二重構造をなしている。本明細書において、着用者の「腹部」とは、臍および臍のやや下方の横長の矩形状(又は楕円状）の領域である。着用者の「下腹部」とは、腹部に隣接する領域であり、腹部と、股部および鼠径部との周辺の領域である。
【００２２】
肌側部８は、着用者の腹部および下腹部を覆う生地である肌側本体９を含む。一方、表側部１０は、着用者の腹部を覆う生地である表側本体１１を含む。肌側本体９は、表側部１０の内面側に配置されて、着用者の腹部に直接接する。図３に示されるように、肌側本体９は、左右方向に延びる上縁部９ａと、クロッチ部６に結合される中央下縁部９ｂと、肌側足刳り部１５（足刳り部１３）を形成する左右一対の第１下端縁９ｅと、後身頃４に結合される一対の左右端縁９ｃとを含む。肌側本体９は、肌側部８の大部分を占める。肌側部８は、肌側本体９以外に、別の小さな生地等を含んでもよい。肌側本体９の左右端縁９ｃは、後身頃４の左右端縁３より短く、左右端縁３の上部（たとえば上半分）に相当する長さを有する。肌側本体９の第１下端縁９ｅは、左右端縁９ｃ（左右端縁３の中間部）とクロッチ部６の側端縁６ｃとを接続している。本明細書において「表側」とは、外観(外面）に表れていることを意味し、言い換えれば、肌側に比して、着用者から遠い側であることを意味する。
【００２３】
図１および図３に示されるように、表側本体１１は、肌側本体９よりも小さく、正面から見て肌側本体９の範囲内に収まっている。表側本体１１は、少なくとも腹部を覆うように配置された略矩形状の生地である。表側本体１１は肌側本体９に重なっている。表側本体１１は、表側部１０の上部の領域に配置されており、肌側本体９を介して、少なくとも腹部を覆う。表側本体１１は、左右方向に延びる上縁部１１ａと、たとえば左右方向に延びる下縁部１１ｂと、後身頃４に結合される一対の左右端縁１１ｃとを含む。図４および図５に示されるように、本実施形態では、肌側本体９および表側本体１１は連続した１枚の生地からなる。肌側本体９および表側本体１１は、上縁部９ａ，１１ａ（上端部２ａ）において折り返されている。たとえば、ひと続きの伸縮性生地が、肌側の股部付近から、下腹部および腹部に延び、折り返されて表側の腹部まで延在している。このように、前身頃２の上端部２ａは、いわゆるワサ構造を有している。下縁部１１ｂの形状は、後述する前裾部１２の形状に応じて変更されてもよい。なお、肌側本体９と表側本体１１とを別の生地とし、上端で連結した構造でもよい。
【００２４】
表側部１０は、さらに、着用者の下腹部および大腿部の上端部を覆う前裾部１２を含む。前裾部１２は、表側部１０の下部の領域に配置されており、肌側本体９を介して、少なくとも下腹部を覆う。前裾部１２は、表側本体１１とクロッチ部６との間に設けられて、左右方向に延びる帯状の生地である。前裾部１２は、表側本体１１の下縁部１１ｂに結合されている。前裾部１２は、たとえば表側本体１１とは別の生地からなる。前裾部１２は肌側本体９に部分的に重なっている。前裾部１２の中央部は肌側本体９に重なっているが、前裾部１２の左右の下部は、肌側本体９に重なっておらず、着用者の大腿部の上端部を直接覆う。前裾部１２は、表側本体１１の下縁部１１ｂにたとえば縫合された上縁部１２ａと、クロッチ部６に結合される中央下端部１２ｂと、表側足刳り部１６（足刳り部１３）を形成する左右一対の第２下端縁１２ｅと、後身頃４に結合される一対の左右端縁１２ｃとを含む。前裾部１２の左右端縁１２ｃは、後身頃４の左右端縁３より短く、左右端縁３の下部（たとえば下半分）に相当する長さを有する。前裾部１２の第２下端縁１２ｅは、左右端縁１２ｃ（左右端縁３の下端部）とクロッチ部６の側端縁６ｃとを接続している。第２下端縁１２ｅは、たとえば切りっぱなしとされるか、またはヘム仕様等が施されている。
【００２５】
前裾部１２は、たとえば、レース生地からなる。図１に示されるように、前裾部１２は、中心線に関して対称な形状を有する２枚の生地が中央の縫合ライン１８で縫合された構成を有してもよい。前中心において上下に延びる縫合ライン１８は、表側本体１１の下縁部１１ｂの中央とクロッチ部６の前端縁６ａの中央とに接続される。
【００２６】
表側部１０が表側本体１１と前裾部１２とを有することにより、ショーツ１は、着用者の腹部および下腹部に対する適度な押さえ力を生み出すように構成されている。前裾部１２は、肌側本体９および表側本体１１に比して、着用者に対して比較的弱い（小さい）押さえ力を生み出す。本明細書において、「押さえ力」とは、下衣を構成する生地または下衣のいずれか一部が、着用者の身体を押圧する力を意味する。「押さえ力」は、緊締力と同意である。当然ながら、「押さえ力」は、下衣のサイズと着用者の体形および体のサイズによって変化し得るが、ある着用者を基準に考えた場合に、第１の部分（生地）と第２の部分（生地）の強弱あるいは大小は、下衣の構造的特徴によって決まる。したがって、「押さえ力」は下衣の構造的特徴として特定され得る。
【００２７】
図６に示されるように、本実施形態のショーツ１では、前裾部１２は、前裾部１２の下部の左右方向の長さが、前身頃２の左右方向の長さに対して余るように取り付けられている。図６では、前中心のラインを基準として左右方向の半分の領域のみを示しているが、左右方向の全域で対比しても、上記した長さの大小関係は成り立つ。より詳しく説明すると、「左右方向の長さ」とは、ショーツ１を平置きした場合に計測することのできる左右に離間した２本のライン間の距離である。たとえば、表側本体１１の領域において、中心線Ｘと左右端縁３との左右方向の距離と、生地としての表側本体１１の左右方向の長さとは、略等しい。一方、前裾部１２の領域において、中心線Ｘと左右端縁３との左右方向の距離に対し、生地としての前裾部１２の左右方向の長さは、余っている。
【００２８】
表側本体１１に対して前裾部１２を対比して前身頃２の構造を説明する。表側本体１１と前裾部１２との脇側結合点Ｃから、表側本体１１と前裾部１２との中心側結合点Ｄまでの表側本体１１の生地の長さＬ３と、脇側結合点Ｃから中心側結合点Ｄまでの前裾部１２の生地の長さＬ４とは、略等しい。前裾部１２は、たとえば長方形状の生地からなり、その直線状の上辺が、弧状にカーブを描く表側本体１１の下縁部１１ｂに沿わせるようにして取付けられている。表側本体１１の下縁部１１ｂが「カーブを描く」または「カーブする」とは、当該下縁部１１ｂが凹状であることと同意である。前裾部１２の上縁部１２ａと表側本体１１の下縁部１１ｂとが元々異なる形状を有することにより、これらが結合された後、前裾部１２は立体的になる。前裾部１２は、平置きされたショーツ１の載置面に比して、突出する。言い換えれば、前裾部１２は、表側本体１１よりも突出する。前裾部１２は、前裾部１２の脇側下端Ａとクロッチ部６に対する前裾部１２の結合部位（中央下端部１２ｂ）の端点Ｂとの距離Ｌ１に対し、脇側下端Ａから端点Ｂまでの前裾部１２の生地の長さＬ２が余るようにして取り付けられている。すなわち、前裾部１２の下部（第２下端縁１２ｅを含む部分）の生地の長さＬ２は、上記距離Ｌ１よりも大きい。なお、端点Ｂは、クロッチ部６の前端縁６ａの左右の端点でもある。
【００２９】
前裾部１２の生地の形状と表側本体１１の下縁部１１ｂの形状は、上述した形態に限られない。前裾部１２の生地の一辺が弧状にカーブしており、表側本体１１の下縁部１１ｂも弧状にカーブしているが、これらの曲率半径が異なってもよい。前裾部１２の一辺（上辺）の曲率半径が表側本体１１の下縁部１１ｂの曲率半径よりも大きい（直線に近い）ことにより、前裾部１２の立体的形状が形成される。
【００３０】
図１、図３および図５に示されるように、前裾部１２は、肌側本体９の第１下端縁９ｅを覆っている。前裾部１２は、さらに、着用者の大腿部の上端部を覆う位置にまで延在している。前裾部１２は、肌側本体９の下方にはみ出ている。肌側本体９の第１下端縁９ｅは、左右方向に対して大きな角度をもって傾斜しており、いわばハイレグ状に延びるが、前裾部１２の第２下端縁１２ｅは、上縁部１２ａに略平行に延びる。
【００３１】
肌側本体９の中央下縁部９ｂと、前裾部１２の中央下端部１２ｂと、クロッチ部６の前端縁６ａとは、互いに重ね合わされた状態で縫合されている。
【００３２】
図１および図２に示されるように、後身頃４には、ヒップ、臀部および股部を覆う領域において後レース部２０が取り付けられている。後身頃４は一重構造を有しており、後身頃４に対して装飾用の後レース部２０が取り付けられている。後レース部２０の左右端縁２０ｃは、前身頃２（肌側本体９、表側本体１１および前裾部１２）および後身頃４の左右端縁３において、各生地と共に縫合されている。後レース部２０の下端縁２０ｅは、後身頃４の下端縁４ｃよりも下方に位置している。後レース部２０の下端縁２０ｅは、たとえば切りっぱなしとされるか、またはヘム仕様等が施されている。後レース部２０の中央下端部２０ｂは、クロッチ部６に縫合（結合）されている。
【００３３】
本実施形態のショーツ１は、前身頃２が二重構造を有しており、これによって、足刳り部１３の一部（前部）が二重構造を有する。図１および図３に示されるように、着用者の大腿部が通される足刳り部１３は、後身頃４、前身頃２の肌側本体９（肌側部８）およびクロッチ部６によって形成される肌側足刳り部１５と、後身頃４、前身頃２の前裾部１２およびクロッチ部６によって形成される表側足刳り部１６とを含む。肌側足刳り部１５は、内面側の足刳り部であり、表側足刳り部１６は、外面側の足刳り部である。
【００３４】
図１、図４および図５に示されるように、表側本体１１は、上縁部１１ａおよび左右端縁１１ｃの位置を除いて、肌側本体９には縫合（結合）されていない。表側本体１１は、上縁部１１ａおよび左右端縁３の位置を除いて、肌側本体９からは遊離した状態で設けられている。また、前裾部１２は、中央下端部１２ｂの位置（クロッチ部６に結合された位置）を除いて、肌側本体９には縫合（結合）されていない。前裾部１２は、中央下端部１２ｂの位置を除いて、肌側本体９からは遊離した状態で設けられている。
【００３５】
本実施形態のショーツ１によれば、肌側本体９が腹部を覆いつつクロッチ部６まで延びているが、表側本体１１は、腹部を覆うがクロッチ部６までは延びていない。表側においては、表側本体１１とクロッチ部６との間に前裾部１２が設けられている。肌側本体９と表側本体１１とが重なっている、腹部を覆う領域では、これらの2枚の生地によって所定の押さえ力が発揮される。よって、着用者の腹部に対しては、所定の押さえ力を確保できる。一方、クロッチ部６に結合されている、下腹部を覆う領域では、肌側本体９と前裾部１２とが重なっている。脇側下端Ａから中央下端部１２ｂの端点Ｂまでの前裾部１２の生地の長さＬ２が、脇側下端Ａから中央下端部１２ｂの端点Ｂまでの距離Ｌ１に対して余っているため、下腹部を覆う領域では、腹部を覆う上記領域における押さえ力よりも弱い押さえ力が生み出される。したがって、このショーツ１によれば、足の動かしやすさが確保され、しかも腹部および下腹部を部位に応じた適切な強度で押さえることができる。ショーツ等の下衣においては、着用者の部位に応じて押さえ力を調整することが重要である。腹部に関しては、腹部が外観に表れやすいため、あるいは、矯正の観点で、強い押さえ力が求められる。一方で下腹部に関しては、外観性または矯正の観点で、強く押さえる必要がなく、緩やかに押さえた方がよい。本実施形態のショーツ１では、これらの２つの要望が満たされている。
【００３６】
肌側本体９は、左右端縁３とクロッチ部６とを接続する第１下端縁９ｅを含み、前裾部１２は、肌側本体９の第１下端縁９ｅを覆っており、さらに着用者の大腿部の上端部を覆う位置にまで延在している。肌側本体９の第１下端縁９ｅを越えて下まで延びる前裾部１２が、大腿部の上端部を覆う。大腿部の上端部を覆う領域では、左右方向の寸法に余裕のある前裾部１２のみが大腿部の上端部を蔽っているので、上述した２つの領域に比して、さらに押さえ力が弱くなっている（図７および図８参照）。よって、前裾部１２が鼠径部（鼠径溝）を圧迫しない。裾まわりにおいて程よいフィット感を得られる。二重構造の前身頃２を用いて３種類の領域（重なり方）を形成しており、これによって、ショーツ１は着用者に適切なフィット感を与えている。
【００３７】
前裾部１２は、左右端縁３とクロッチ部６とを接続する第２下端縁１２ｅを含み、第２下端縁１２ｅとクロッチ部６の側端縁６ｃとによって表側足刳り部１６の前部が形成されている。前裾部１２の第２下端縁１２ｅとクロッチ部６の側端縁６ｃとによって表側足刳り部１６（足刳り部１３）が形成されているので、着用者にとって、足を動かしやすくなっている。また、前裾部１２が足へ巻き込まれることも防止されている。本実施形態のようにクロッチ部６の側端縁６ｃに他の生地が結合されていない場合には、着用者が足を一層動かしやすくなる。なお、クロッチ部６の側端縁６ｃに、小さなレース生地が結合されていてもよい。その場合でも、足の動かしやすさは確保される。
【００３８】
表側本体１１は、上縁部１１ａおよび左右端縁１１ｃの位置を除いて、肌側本体９からは遊離した状態で設けられている。肌側本体９は表側本体１１に対して自由に動けるので、肌側本体９が腹部の動きに追従しやすい。一方で、表側本体１１は衣類等に追従しやすい。二重構造によって所定の押さえ力を実現しつつも、着用者の動きを妨げないような構造が提供されている。
【００３９】
前裾部１２は、クロッチ部６に結合された位置を除いて、肌側本体９からは遊離した状態で設けられている。肌側本体９は前裾部１２に対して自由に動けるので、肌側本体９が下腹部の動きに追従しやすい。たとえば着用者がタイトなパンツ等を着用している場合には、クロッチ部６に近い部位、すなわち下腹部ほど、その衣類の影響（たとえば摩擦等による動きの影響）を受けやすい。しかしこの構造によれば、肌側本体９は前裾部に対して自由に動けるので、肌側本体９が下腹部の動きに追従しやすい。一方で、前裾部１２は、衣類に追従しやすい。
【００４０】
表側本体１１および前裾部１２が、腹部および下腹部に対応する領域で縫い目を有していないので、肌側本体９の裏面（肌に接触する面）には縫い目が表れておらず、肌当たりに優れる。ショーツ１では、接ぎ部分はすべて表側へ配置されており、裏面側に接ぎがほとんど存在しない（図３参照）。
【００４１】
表側本体１１とクロッチ部６との間にレース生地からなる前裾部１２が設けられるので、表側において、部位に応じた所望の押さえ力を実現しつつ、美観性に優れる。たとえば、レース生地によってアクセントを付けたり、所望の装飾を施したりすることができる。
【００４２】
以上、本発明の実施形態について説明したが、本発明は上記実施形態に限られない。たとえば、前裾部が肌側本体と略同じ領域に設けられてもよい。すなわち、前裾部が肌側本体の第１下端縁に揃う位置まで設けられてもよく、第１下端縁よりわずかに下の位置まで延在してもよい。言い換えれば、前裾部が鼠径部（大腿部の付け根）付近で終端していてもよい。
【００４３】
表側本体１１に対して前裾部１２が取り付けられる構造は、上記実施形態に限られない。たとえば、表側本体１１の下縁部１１ｂがカーブしているか又は直線状であり、前裾部１２の上辺が直線状であり、上記した表側本体１１の生地の長さＬ３よりも前裾部１２の生地の長さＬ４が長くなっていてもよい。そして、たとえば、前裾部１２の生地を縫い縮めてギャザーを寄せ、表側本体１１の生地の長さＬ３に合わせて固着してもよい。この場合でも、前裾部１２の脇側下端Ａと前裾部１２の結合部位の端点Ｂとの距離Ｌ１に対し、脇側下端Ａから端点Ｂまでの前裾部１２の生地の長さＬ２が余る構造を実現することができる。その結果として、上記実施形態と同様の作用効果が得られる。
【００４４】
また、たとえば、表側本体１１の下縁部１１ｂが直線状であると共に、前裾部１２の上辺も直線状であり、上記した表側本体１１の生地の長さＬ３と前裾部１２の生地の長さＬ４とが略等しくてもよい。そして、たとえば、前裾部１２の脇側下端Ａと前裾部１２の結合部位の端点Ｂとの距離Ｌ１に対し、脇側下端Ａから端点Ｂまでの前裾部１２の生地の長さＬ２が余るように、前裾部１２の生地の形状を調整することもできる。その結果として、上記実施形態と同様の作用効果が得られる。
【００４５】
前裾部１２はレース生地に限られない。前裾部１２の材料は、幅広のテープ等であってもよい。前裾部１２の材料は、本体と違う生地であってもよい。前裾部１２が表側本体１１と同じ生地からなってもよい。
【００４６】
下衣は、元々別体とされた前身頃２および後身頃４が結合（接ぎ）によって筒状に形成される形態に限られない。下衣は、前身頃２および後身頃４に相当する部分が筒状に編み立てられた形態を採ってもよい。すなわち、前身頃２および後身頃４が一体的に編み立てられてもよい。各生地の結合形態は、縫合に限られず、たとえば接着等であってもよい。本発明の下衣はショーツに限られない。下衣は、たとえばガードル、水着、またはボディスーツ等であってもよい。
【符号の説明】
【００４７】
１…ショーツ（下衣）、２…前身頃、２ｂ…中央下端部、３…左右端縁、４…後身頃、６…クロッチ部、６ｃ…側端縁、８…肌側部、９…肌側本体、９ａ…上縁部、９ｂ…中央下縁部、９ｃ…左右端縁、９ｅ…第１下端縁、１０…表側部、１１…表側本体、１１ａ…上縁部、１１ｂ…下縁部、１１ｃ…左右端縁、１２…前裾部、１２ａ…上縁部、１２ｂ…中央下端部、１２ｃ…左右端縁、１２ｅ…第２下端縁、１３…足刳り部、１５…肌側足刳り部、１６…表側足刳り部、Ａ…脇側下端、Ｂ…（結合部位の）端点、Ｌ１…距離、Ｌ２…長さ。
【要約】
【課題】足の動かしやすさを確保しつつも、腹部および下腹部を部位に応じた適切な強度で押さえることができる下衣を提供する。
【解決手段】ショーツ（下衣）１は、前身頃２と後身頃４とを備える。前身頃２は、肌側部８と、肌側部の外面側に配置された表側部１０とを有する二重構造をなしている。肌側部８は、腹部および下腹部を覆うと共にクロッチ部６に結合された肌側本体９を含み、表側部１０は、上部の領域に配置されて少なくとも腹部を覆う表側本体１１と、表側本体１１の下縁部１１ｂに結合され、下腹部を覆うと共にクロッチ部６に結合された前裾部１２とを含む。前裾部１２は、前裾部１２の脇側下端Ａとクロッチ部６に対する前裾部１２の結合部位の端点Ｂとの距離Ｌ１に対し、脇側下端Ａから端点Ｂまでの前裾部１２の生地の長さＬ２が余るようにして取り付けられている。
【選択図】図１【図１】
0006744563.tif 000002
【図２】
0006744563.tif 000003
【図３】
0006744563.tif 000004
【図４】
0006744563.tif 000005
【図５】
0006744563.tif 000006
【図６】
0006744563.tif 000007
【図７】
0006744563.tif 000008
【図８】
0006744563.tif 000009